(57)【要約】      （修正有）【課題】内部にポエムや写真、又は絵画を収容して家族や友人との絆を感じ取ることが出来る額縁を提供する。【解決手段】額縁は複数個を１組として構成され、額縁本体１ａ，１ｂ，１ｃは木製の板材で構成すると共にその表面には木目８ａ，８ｂ，８ｃが形成され、中央部には上記ポエム５ａ，５ｂ，５ｃや写真、又は絵画を収容することが出来る開口を設け、そして複数の額縁を配列する場合、表面の木目８ａ，８ｂ，８ｃが途切れることなく連続する。【選択図】図３
0003190928.tif 000002
【実用新案登録請求の範囲】
【請求項１】
内部にポエムや写真、又は絵画を収容することが出来る額縁において、額縁は複数個を１組として構成され、額縁本体は木製の板材で構成すると共にその表面には木目が形成され、中央部には上記ポエムや写真、又は絵画を収容することが出来る開口を設け、そして複数の額縁を配列する場合、表面の木目が途切れることなく連続することを特徴とする木目を形成した額縁。
【請求項２】
上記開口の内周面には、該開口に収容したポエムや写真、又は絵画の周辺部が当たる段差を設け、背面側には開口に嵌る裏板を取付け、裏板に形成される木目は本体表面の木目と連続している請求項１記載の木目を形成した額縁。
【請求項３】
上記開口の内周面には、該開口に収容したポエムや写真、又は絵画の周辺部が当たる段差を設け、背面側には開口に嵌る枠体を取付けた請求項１記載の木目を形成した額縁。
【考案の詳細な説明】
【技術分野】
【０００１】
本考案は複数の額縁を一組とし、これら額縁本体の木目が互いに繋がることによって組み合わされる木製額縁に関するものである。
【背景技術】
【０００２】
近年、お祝いの品や引き出物として色々な商品が使われる。最もよく使われる商品の一つに置き時計があるが、該置き時計は見栄えが良い割りに比較的手頃な値段であること、又時計は毎日使うものであることが主な理由であろう。従って、結婚式のお祝いの品、新築祝いの品など、又結婚式の引き出物の品、法事の引き出物として置き時計が使われるケースが多い。
【０００３】
ところで、従来の時計は工場で大量生産したものであり、その為に個々の時計に個性はない。すなわち、同じタイプの時計は数多く存在する為に、時計としての機能は十分に発揮できるが、心に残る印象は少なく、時が経つとお祝いとしてもらった時計であるか否かは忘れてしまう。まして置き時計その物が結婚した２人の絆を助長するといった働きは存在しない。
【０００４】
従来、結婚式のお祝いの品としてペアの腕時計を贈る場合は多い。すなわち、男性用の腕時計と女性用の腕時計を対にして贈ることが出来、何時までも心に残る腕時計となる。このように、腕時計に関しては男性用と女性用がペアとして売り出しているケースは多く、多数人が着用している。しかし、ペアの腕時計といっても、世の中には同じものが数多く販売され、２個のみのペア時計と言えるものではない。そして、置き時計や掛け時計に関してはペアとして製作されるものは存在しない。
【０００５】
特開平１１−２０８１４７号に係る「贈呈用書籍」は、卒業記念、就職記念、結婚記念、創業記念などの贈り物に好適する贈呈用書籍であって、世〃代〃に継続的贈呈に適した書籍である。
この考案の贈呈用書籍は、書籍と、この書籍に装着された複数枚の書籍カバーとからなり、各書籍カバーの表裏カバー及び背部カバーに、それぞれ書籍の表紙に対応して同一文字、図形の表装デザイン及び贈呈日、祝辞等のメッセージ記入欄を設けている。
【０００６】
しかし、上記特開平１１−２０８１４７号に係る「贈呈用書籍」は、卒業記念、就職記念、結婚記念、創業記念などには適しているが、家族の絆を保つような効果は得られない。
本考案は額縁を対象としているが、一般的な額縁は図７に示すように長方形に枠組みした枠体（イ）として構成している。すなわち、２本の上下横桟（ロ）、（ロ）と両縦桟（ハ）、（ハ）が枠組みされ、中央に形成した開口（ニ）に写真などがセットされる。各桟を木製としたものは多数あるが、表面に形成される木目は各桟の長手方向に延びており、別の額縁を隣に配置しても桟に形成される木目が互いに繋がることはない。
【特許文献１】特開平１１−２０８１４７号に係る「贈呈用書籍」
【考案の開示】
【考案が解決しようとする課題】
【０００７】
このように、お祝いとして贈る品又は記念の品としては色々な物が存在しているが、互いの絆を保つ効果があるものは知られていない。本考案が解決しようとする課題はこの問題点であり、２個ないし３個が互いに関連して昔の思い出を認識させ、家族の絆を確認し、又は夫婦の絆を助長することが出来る木製の額縁を提供する。
【課題を解決するための手段】
【０００８】
本考案に係る額縁はその本体を木製とし、樹木の木目を関連付けることで２個の額縁を１組として構成し、又は３個の額縁を１組として構成している。すなわち、複数の額縁を配列するならば、本体表面の木目は互いに繋がって連続するようにしている。そして、額縁には写真や絵画、又はポエム（詩）などを収容出来る構造としている。ここで、写真は昔の思い出や互いの絆を認識することが出来る内容とし、同じくポエムの内容も互いの絆が確認出来るものと成っている。
【０００９】
ところで、額縁の形態は特に限定するものではないが、板状の本体表面に木目が形成された木製とし、そしてテーブルや机に載置した場合に起立することが出来るように脚を備えている。一般的には長方形本体の中央に開口を設け、この開口に写真、絵画、又はポエムを嵌めて取付けることが出来るように構成する。
【考案の効果】
【００１０】
本考案に係る額縁はその本体を木製としている。従って、金属製又はプラスチック製の額縁に比較して暖かく感じ、日本間にはその外観が調和することが出来る。そして、木材から成る板状本体の表面には樹木の木目が表面化し、２個ないし３個の額縁を配列するならば、本体表面の木目は途中で途切れることなく互いに繋がり、また写真又はポエムを収容することで１組の額縁として構成される。
【００１１】
したがって、結婚祝いとして２個１組の額縁を贈ることが出来る。又、結婚式にそれぞれの両親への感謝の気持ちとして２個一組の額縁を贈ることができる。更に３個を一組として、両方の家族と本人がそれぞれ１個づつ所持することが出来る。勿論、贈りものとしての用途は限定しないが、額縁本体はその表面木目が互いに連続して繋がっていることで、互いの結び付きを表現することが出来、さらには額縁に写真、絵画、又はポエムを収容することで昔の思い出や互いに絆を認識すると共に互いの絆が助長される。
【図面の簡単な説明】
【００１２】
【図１】本考案に係る木目を形成した額縁の実施例。
【図２】図１に示す額縁の中央断面図。
【図３】図１の額縁を左右に配列した実施例。
【図４】本考案に係る木目を形成した額縁を示す他の実施例。
【図５】図４に示す額縁の中央断面図。
【図６】図４の額縁を左右に配列した実施例。
【図７】桟を枠組みして構成した従来の額縁を示す具体例。
【考案を実施するための形態】
【００１３】
図１は本考案に係る額縁を表している実施例であり、該額縁にはポエム（透明なアクリル板に詩を表記したもの）を収容している。同図の１は本体、２ａ，２ｂは脚を示し、本体１は長方形をした木製板で構成し、中央部には長方形をした収容空間を設けている。木製であるために表面には木目８が形成され、これら木目８は左右方向へ延びている。そして、脚２ａ，２ｂはブロック体を成して上面に凹溝が形成され、この凹溝に本体１の下端部が嵌っている。
【００１４】
したがって、本体１は脚２ａ，２ｂを介して垂直に起立し、その為にテーブルや机に載置することが出来る。ここで、本体１の大きさに対して中央部に設けた開口３の大きさを比較的小さくしているが、本考案の額縁は開口３に写真やポエムなどを収容することだけを目的とするのではなく、本体１の表面に形成される木目８の存在を認識することが重要である。
【００１５】
図２は図１の中央部縦断面を示しているように、本体中央部には長方形の開口３が設けられ、この開口３の内周面には段差４を形成し、開口３に嵌ったポエム５は段差４に当たり、背面は裏板６にて押えられている。そして、該裏板６の周囲に止着した止め具７，７・・・によって、裏板６が外れないようにしている。ここで、ポエムは透明なアクリル板に詩が表記され、その内容は互いに絆を確認し得る内容と成っているが、透明なアクリル板を通して裏板６の木目９を認識できる。そして、本体表面に形成される木目８と裏板に形成している木目９とは連続している。
【００１６】
ポエム５に表記する詩の内容は特に限定するものではないが、図１に示すポエム５には
「雄々と流れる時の中、大きな愛情を育み、明るい家庭を築いていこう。
幸せと亜流するたくさんの人の恵みを心の砂浜に満たし。
佳麗に輝く未来へと寄り添い、歩みながら。」
と記載している。これは、新婚夫婦が所持するポエム５の内容である。
【００１７】
図３は３つの額縁を左右に配列した実施例を示している。同図に示すように、木製で構成した額縁の本体１ａ、１ｂ、１ｃに形成している木目８ａ，８ｂ，８ｃは互いに連続している。すなわち、本体１ａから本体１ｃに形成される木目８ａ，８ｂ，８ｃは途中で途切れることなく連続した木目８として形成している。そして、開口３の背面側に嵌った裏板６に形成している木目９ａ，９ｂ，９ｃも本体表面の木目８ａ，８ｂ，８ｃと連続し、途中で途切れることはない。
【００１８】
ところで、左側額縁は新郎の両親に差し上げるものであり、その本体１ａに収容しているポエム５ａには、
「和やかな未来へと  幾萬もの恵みを与え  導いてくれた  お父さん。
賀詞溢れる日々の中  代えがたい愛情で  助けてくれた  お母さん。
そんな父母の子どもでよかった。」
と記載されている。
【００１９】
一方の右側額縁は新婦の両親に差し上げるものであり、その本体１ｃに収容しているポエム５ｃには、
「実りある日々の中  心一面に幸せを  満たし  支えてくれた  お父さん。
裕かな心と愛情で  私の存在を優しく  包み込んでくれた  お母さん。
今日まで育ててくれてありがとう。」
と記載されている。
【００２０】
図４は本考案に係る額縁を示す他の実施例であり、該額縁の本体１の中央部には長方形をした開口３を形成し、この開口３にポエム５を収容している点は前記図１に示した額縁と同じである。しかし、図４に示す額縁では裏板を用いないで、開口３に透明なアクリル板を嵌め、該アクリル板に詩が記載されている。そして、背面には長方形をした枠体を嵌めてアクリル板が外れないようにしている。
【００２１】
図５は図４における中央断面を示しているが、開口３の内面に設けた段差４にポエム５が当たり、該ポエム５の周辺部を長方形の枠体１０によって押えられている。そして、本体１の裏面に止着した止め具７，７・・・にて開口３に嵌った枠体１０が外れないように止着されている。
【００２２】
そして、図４に示す形態の額縁を左右に配列した実施例を図６に示している。この場合も、前記図３の実施例と同じく本体１ａ，１ｂ，１ｃの表面に形成される木目８ａ，８ｂ，８ｃは互いに連続し、途中で途切れることがないように形成している。また、ポエム５ａ，５ｂ，５ｃに記載している詩の内容は前記実施例のポエム５ａ，５ｂ，５ｃと同じ内容と成っている。
【００２３】
ところで、額縁の本体１ａ，１ｂ，１ｃに設けた開口３には詩を記載したポエム５ａ，５ｂ，５ｃを収容しているが、該開口３に収容するものはポエム５ａ，５ｂ，５ｃに限定するものではない。例えば、写真を収容することも出来る。具体的には結婚式において、新郎・新婦と新郎の両親及び新婦の両親とで撮った写真を収容することで、時が経ってもこの額縁に入った当時の写真を見ることで、両親への感謝の気持ちを感じ、また互いに絆を感じ取ることが出来る。
【００２４】
一方、本考案が対象とする額縁は、新郎・新婦とその両親の間の絆を目的とする場合に限らない。学生時代の仲の良い友人との絆や思い出を保つためにポエム入れた額縁又は写真を入れた額縁として所持することが出来る。そして、就職して仕事で行き詰まった時に、この額縁に入ったポエム又は写真を見ることで、友人と共に頑張った昔を思い出して頑張るエネルギーと成る。
【符号の説明】
【００２５】
１  本体
２  脚
３  開口
４  段差
５  ポエム
６  裏板
７  止め具
８  木目
９  木目
10  枠体
【図２】
0003190928.tif 000003
【図５】
0003190928.tif 000004
【図７】
0003190928.tif 000005
【図１】
0003190928.tif 000006
【図３】
0003190928.tif 000007
【図４】
0003190928.tif 000008
【図６】
0003190928.tif 000009